【事件の表示】
　特願２００６−　３３５９７「弾球遊技機」拒絶査定不服審判事件〔平成１９年　８月２３日出願公開、特開２００７−２０９５９１〕について、次のとおり審決する。
【結　論】
　本件審判の請求は、成り立たない。
【理　由】
１．手続の経緯
　本願は、平成１８年２月１０日の出願であって、平成２２年７月８日付けで拒絶査定がされ、これに対し平成２２年９月３０日に拒絶査定不服審判が請求された。  
 　　  
２．本願発明
　本願の請求項１〜５に係る発明は、平成２２年４月２日付けの手続補正により補正された特許請求の範囲に記載されたとおりのものと認める（以下、請求項１に係る発明を「本願発明」という。）。
　
「【請求項１】
　前面側に遊技領域が形成された遊技盤と、該遊技盤の下方に配設されて遊技領域に向けて遊技球を発射する発射装置と、を備えた弾球遊技機において、
　前記遊技盤は、前記発射装置から発射された遊技球を誘導して、前記遊技領域の上方部所定位置に設けられた遊技球流出口まで誘導する遊技球誘導部を備え、
　前記遊技球誘導部の所定部位を前記遊技盤に埋設して、その埋設部位の前面側を遊技領域に設定し、
　前記遊技球誘導部の上方端部から下方側所定範囲の奥手側壁には、該奥手側壁の上方端部に向かって前記遊技領域側に傾斜する誘導傾斜部を形成したことを特徴とする弾球遊技機。
　【請求項２】
　前記遊技球誘導部の上方端部の前記遊技領域側に、前記遊技球流出口を有して前記誘導傾斜部により前記遊技領域側に誘導された遊技球を前記遊技領域の面方向に再誘導する流出口形成部材を設けたことを特徴とする請求項１に記載の弾球遊技機。
　【請求項３】
　前記遊技盤が取り付けられる前面枠本体と、
　前記前面枠本体の下部に設けられる取付ベースと、
　前記発射装置に設けられ、当該発射装置から発射された遊技球を前記遊技球誘導部に案内するための発射球ガイド部材と、
　を備え、
　前記取付ベースには前記発射装置が取付けられ、
　前記発射球ガイド部材は、前記遊技球誘導部の埋設部位の下方端部に接続されることを特徴とする請求項１または請求項２に記載の弾球遊技機。
　【請求項４】
　前記遊技盤の前面側に、前記遊技球誘導部に対応する前面開口の凹部を形成し、該凹部に前記遊技球誘導部を形成する断面コ字状部を有する誘導部形成部材をコ字状開口部が前方を向いた状態で埋設し、該コ字状開口部を平板状の閉鎖部材で閉鎖することで、当該閉鎖部材の前方側に前記遊技領域を形成し、
　前記コ字状開口部の上方端部からその下方側所定範囲にかけた奥手側壁に、前記誘導傾斜部を形成したことを特徴とする請求項１から請求項３のいずれか一項に記載の弾球遊技機。
　【請求項５】
　前記閉鎖部材の一側端部に、遊技領域区画壁を備え、
　前記閉鎖部材の他側端部に、当該閉鎖部材の前方側に遊技球を誘導するための閉鎖部材誘導部を備えたことを特徴とする請求項４に記載の弾球遊技機。」
　
３．特許法２９条の２に対して
（１）先願刊行物記載事項
　原査定の拒絶の理由（平成２２年１月２８日付け拒絶理由通知）で提示した本件出願の日前の特許出願である特願２００４−３０５００１号（特開２００６−１１５９６１号公報として本件出願後に出願公開された。）の願書に最初に添付した明細書、特許請求の範囲（以下「先願明細書等」という。）には、図面とともに以下の事項が記載されている。
　
（ア）「【００７７】
　遊技球発射ハンドル１６は、球皿２２よりも右方で手前側に突出して配設されている。遊技者による遊技球発射ハンドル１６の操作に応じて、遊技球発射装置４０によって遊技球Ｂが後述する遊技盤３０の方へ打ち込まれるようになっている。
　【００７８】
　具体的には、遊技球発射装置４０は、遊技者による操作を受ける遊技球発射ハンドル１６と、この遊技球発射ハンドル１６の操作量に応じた強さで動作するアクチュエータ４２と、アクチュエータ４２によって駆動されるハンマ４４とを備えている。アクチュエータ４２によって駆動されるハンマ４４が遊技球Ｂを打ちつけることにより、遊技球Ｂを発射する。
　【００７９】
　この実施例１では、遊技球発射装置４０として、遊技球Ｂをハンマ４４で打撃するタイプの構成を採用しているが、遊技球Ｂを電磁方式で射出する電磁式遊技球射出装置など、種々の方式の遊技球発射装置を採用してもよい。なお、上述した遊技球発射ハンドル１６が本発明における操作手段に相当し、上述した遊技球発射装置４０が本発明における遊技球発射手段に相当する。
　【００８０】
　内枠１４は、外形が矩形状の樹脂ベースを主体に構成されており、樹脂ベースの中央部には略円形状の窓孔２４が形成されている。樹脂ベースの後側には遊技盤３０が着脱可能に装着されている。遊技盤３０は四角形状の合板よりなり、その周縁部が樹脂ベース（内枠１４）の裏側に当接した状態で取着されている。従って、遊技盤３０の前面部の略中央部分（後述する遊技領域３１）が樹脂ベースの窓孔２４を通じて内枠１４の前面側に露出した状態となっている。また、窓穴２１には、２枚のガラス５０（図３参照）が前後に所定間隔を隔てて取着されている。なお、上述したガラス５０が本発明における視認窓に相当する。
　【００８１】
　図１に示すように、遊技盤３０は、遊技球Ｂが転動可能な遊技領域３１を備えており、この遊技領域３１に、一般入賞口（図示省略）、可変入賞装置３２、第１の始動口３３（例えば作動チャッカ）、第２の始動口３４（例えばスルーゲート）、可変表示装置ユニット３５等が備えられている。これらの一般入賞口、可変入賞装置３２、第１の始動口３３（例えば作動チャッカ）、第２の始動口３４（例えばスルーゲート）、可変表示装置ユニット３５等は、遊技盤３０における、ルータ加工によって形成された各貫通孔にそれぞれに配設され、遊技盤３０前面側から木ネジ等により取り付けられている。前述の一般入賞口３１、可変入賞装置３２および第１の始動口３３に遊技球Ｂが入球し、当該入球が図示省略した検出スイッチ（入賞口スイッチ、カウントスイッチ、作動口スイッチ等）で検出され、この検出スイッチの出力に基づいて、球皿２２へ所定数の賞品球が払い出される。その他に、遊技盤３０にはアウト口３６が設けられており、各種入賞装置等に入球しなかった遊技球Ｂはこのアウト口３６を通って図示しない球排出路の方へと案内されるようになっている。遊技盤３０には、遊技球Ｂの落下方向を適宜分散、調整等するために多数の釘が植設されているとともに、風車３７等の各種部材（役物）が配設されている。」
　
（イ）「【００８９】
　また、図１、図３に示すように、貫通通路部６２を通過してきた遊技球Ｂを、遊技領域３１とガラス５０との間に当該遊技領域３１と平行に出力するように規制する出力方向規制部６９を備えている。図３は、図１のパチンコ機１０でのＡ−Ａ線断面図である。この出力方向規制部６９は、貫通通路部６２の前面側の開口部６２ａに、曲通路部７０を連通接続することで構成されている。図３に示すように、曲通路部７０は、入力側開口部７２が貫通通路部６２の前面側の開口部６２ａに連通され、出力側開口部７４が遊技盤３０の前面側で遊技領域３１の面に対して垂直（略垂直としてもよい）に向けられたものであり、かつ、遊技盤３０の遊技領域３１から外側に向かう方向から当該遊技領域３１に平行となる方向（図３に一点鎖線で示す矢印方向）に曲げられたものである。つまり、図３に示すように、出力方向規制部６９は、遊技盤３０の遊技領域３１から外側に向かう方向から当該遊技領域３１に平行となる方向に曲げられた曲通路部７０を備え、貫通通路部６２を通過してきた遊技球Ｂを曲通路部７０に通過させることでその遊技球Ｂを遊技領域３１とガラス５０との間に当該遊技領域３１と平行に出力するように規制するものである。」
　
（ウ）「【０１６３】
　図１７，図１８に示すように、遊技盤３０は、その前面側に所定経路で削成された有底形状の溝部１６０が形成されている。また、誘導通路部６０Ａは、遊技盤３０の溝部１６０と、この溝部１６０の開口を塞ぐ閉塞部材１６２とを備え、溝部１６０と閉塞部材１６２とで形成される内部空間中を遊技球Ｂが通過していくようにしたものである。窓部材２６Ａは、閉塞部材１６２の少なくとも一部を透明としたものとしている。
　【０１６４】
　なお、この実施例６では、窓部材２６Ａは、閉塞部材１６２の少なくとも一部を透明としたものとしているが、半透明としてもよい。また、前述の実施例１のように、図１，図６，図７に示すように照射部２８を備えるようにしてもよい。このように照射部２８からの光によって、誘導通路部６０Ａ内を通過する遊技球Ｂの視認性が高まるのであれば、照射部２８を採用すればよい。
　【０１６５】
　閉塞部材１６２は、その前面側の外面を遊技盤３０の遊技領域３１の面と同一または略同一として当該遊技盤３０に取り付けられている。つまり、閉塞部材１６２は、溝部１６０への取り付け状態において、その前面側の外面と遊技領域３１の面とが面一となっている。
　【０１６６】
　また、閉塞部材１６２は、その前面側の外面に、遊技球Ｂが当たることで遊技球Ｂの挙動に変化を与えるための棒状体３８を備えている。
　【０１６７】
　なおこの実施例６では、閉塞部材１６２のガラス５０と対向する側に棒状体３８を配設しているが、棒状体３８を設けないようにしてもよい。
　【０１６８】
　上述したように、本実施例６のパチンコ機１０によれば、遊技盤３０は、その前面側に所定経路で削成された有底形状の溝部１６０が形成され、誘導通路部６０Ａは、遊技盤３０の溝部１６０と、この溝部１６０の開口を塞ぐ閉塞部材１６２とを備え、溝部１６０と閉塞部材１６２とで形成される内部空間中を遊技球Ｂが通過していくようにしたものであり、窓部材２６Ａは、閉塞部材１６２の少なくとも一部を透明としたものとしているので、誘導通路部６０Ａを通過する遊技球Ｂを、窓部材２６Ａ（閉塞部材１６２の透明とした箇所に相当する）を介して見ることができ、遊技盤３０の遊技領域３１の貫通通路部６２から当該遊技領域３１に向けて出射された遊技球Ｂをその時点で初めて見るのではなく、遊技球発射装置４０から発射された遊技球Ｂが貫通通路部６２に到達するまでの間で誘導通路部６０Ａを通過する遊技球Ｂを、窓部材２６を介して見ることができる。つまり、遊技盤３０の遊技領域３１に打ち込まれるまでの様子を知ることができ、遊技球発射に実感を持つことができる。しかも、遊技盤３０は、その前面側に削成された有底形状の溝部１６０を備え、誘導通路部６０Ａは、遊技盤３０の前面側の溝部１６０と、この溝部１６０の開口を塞ぐ閉塞部材１６２とを備え、遊技盤３０の溝部１６０と誘導通路部６０Ａの閉塞部材１６２とで形成される内部空間中を遊技球Ｂが通過していくものとしているので、誘導通路部６０Ａは遊技盤３０の厚み方向に埋め込んだ格好となり、誘導通路部６０Ａの遊技盤３０の背面側への突出量を無くすことができ、誘導通路部６０Ａのスペースを最小限に抑えることができ、スペースメリットを出すことができる。その結果、遊技盤自体を拡大することなく遊技領域を拡大でき、かつ、誘導通路部６０Ａのスペースを最小限に抑えることができる遊技機を提供することができる。」
　
　摘記した上記（ア）〜（ウ）の記載や図面等によれば、先願明細書等及び図面には以下の発明（以下「先願発明」という。）が記載されている。
「遊技球Ｂが転動可能な遊技領域３１を備えた遊技盤３０と、遊技球発射装置４０によって前記遊技球Ｂが前記遊技盤３０の方へ打ち込まれるようになっているパチンコ機１０において、
　前記遊技盤３０は、その前面側に所定経路で削成された有底形状の溝部１６０が形成されており、前記溝部１６０と、前記溝部１６０の開口を塞ぐ閉塞部材１６２とから誘導通路部６０Ａを構成し、前記溝部１６０と前記閉塞部材１６２とで形成される内部空間中を前記遊技球Ｂが通過していくようにしたものであり、前記閉塞部材１６２は、その前面側の外面を前記遊技盤３０の前記遊技領域３１の面と同一または略同一として前記遊技盤３０に取り付けられており、前記閉塞部材１６２は、前記溝部１６０への取り付け状態において、その前面側の外面と前記遊技領域３１の面とが面一となり、前記閉塞部材１６２は、その前面側の外面に、前記遊技球Ｂが当たることで前記遊技球Ｂの挙動に変化を与えるための棒状体３８を備えており、
　前記遊技球発射装置４０から発射された前記遊技球Ｂが貫通通路部６２に到達し、前記貫通通路部６２を通過してきた前記遊技球Ｂを曲通路部７０に通過させることで出力側開口部７４から前記遊技球Ｂを前記遊技領域３１とガラス５０との間に前記遊技領域３１と平行に出力するパチンコ機１０。」
　
（２）先願発明と本願発明との対比
　先願発明の「遊技領域３１」は本願発明の「遊技領域」に相当し、以下同様に、
「遊技盤３０」は「遊技盤」に、
「遊技球発射装置４０」は「発射装置」に、
「遊技球Ｂ」は「遊技球」に、
「パチンコ機１０」は「弾球遊技機」に、
「出力側開口部７４」は「遊技球流出口」に、
それぞれ相当する。
　
　さらに、先願明細書等及び図面の記載から次のことがいえる。
　
　請求項１における「前面側」とは、遊技盤において、本願の図２〜図６の記載から見て遊技を行う遊技者と向かい合う側のことであり、先願発明の遊技領域３１は先願の図１７及び技術常識から、遊技盤における遊技を行う遊技者と向かい合う側に備えられているので、先願発明の遊技領域３１は遊技盤の「前面側に」形成されており、先願発明は本願発明の「前面側に遊技領域が形成された遊技盤」に相当する構成を備えているといえる。
　
　先願の図１７には、遊技球発射装置４０が遊技盤３０の下方に配設されていることが記載されていることから、先願発明は本願発明の「該遊技盤の下方に配設されて遊技領域に向けて遊技球を発射する発射装置」に相当する構成を備えているといえる。
　
　上記（ア）及び（ウ）の記載から、先願明細書等には、遊技球発射装置４０によって遊技球Ｂを遊技盤３０の方へ打ち込み、遊技球Ｂが遊技盤３０に設けた誘導通路部６０Ａを通過し、遊技盤３０の遊技領域３１の貫通通路部６２から当該遊技領域３１に向けて出射されることが記載されていることから、先願発明は本願発明の「前記遊技盤は、前記発射装置から発射された遊技球を誘導」することに相当する構成を備えているといえる。
　
　上記（ウ）の記載及び図１７には、遊技球Ｂを遊技領域３１と平行に出力する貫通通路部６２及び曲通路部７０を遊技領域３１の上方部の所定位置に設けることが記載されており、曲通路部７０には出力側開口部７４が設けられていることから、先願発明は本願発明の「前記遊技領域の上方部所定位置に設けられた遊技球流出口」を備えているといえる。また、先願発明では、前記遊技盤３０は、その前面側に所定経路で削成された有底形状の溝部１６０が形成されており、前記溝部１６０と、前記溝部１６０の開口を塞ぐ閉塞部材１６２とから誘導通路部６０Ａを構成し、前記溝部１６０と前記閉塞部材１６２とで形成される内部空間中を前記遊技球Ｂが通過していき、前記遊技球発射装置４０から発射された前記遊技球Ｂが貫通通路部６２に到達し、前記貫通通路部６２を通過してきた前記遊技球Ｂを曲通路部７０に通過させることで出力側開口部７４から前記遊技球Ｂを前記遊技領域３１とガラス５０との間に前記遊技領域３１と平行に出力することから、先願発明の「誘導通路部６０Ａ」及び「貫通通路部６２」は本願発明の「遊技球誘導部」に相当し、先願発明は本願発明の「前記遊技盤は、前記発射装置から発射された遊技球を誘導して、前記遊技領域の上方部所定位置に設けられた遊技球流出口まで誘導する遊技球誘導部」に相当する構成を備えているといえる。
　
　先願発明では、誘導通路部６０Ａは遊技盤３０の前面側に所定経路で削成された有底形状の溝部１６０と、溝部１６０の開口を塞ぐ閉塞部材１６２とから形成されているので、誘導通路部６０Ａは遊技盤３０に埋設されているといえ、誘導通路部６０Ａを構成する閉塞部材１６２の前面側の外面と遊技領域３１の面とが面一となり、閉塞部材１６２は、その前面側の外面に、遊技球Ｂが当たることで遊技球Ｂの挙動に変化を与えるための棒状体３８を備えていることから、前面側を遊技領域に設定された埋設部位は、本願発明の「遊技球誘導部」に相当する「誘導通路部６０Ａ」及び「貫通通路部６２」のうちの「誘導通路部６０Ａ」、すなわち「所定部位」であるので、先願発明は本願発明の「前記遊技球誘導部の所定部位を前記遊技盤に埋設して、その埋設部位の前面側を遊技領域に設定」することに相当する構成を備えているといえる。
　
　上記（ウ）の記載及び図１７、図１８には、貫通通路部６２の詳細について明記されていないものの、遊技盤３０に削成された有底形状の溝部１６０と溝部１６０の開口を塞ぐ閉塞部材１６２とから誘導通路部６０Ａを構成し、前記溝部１６０と前記閉塞部材１６２とで形成される内部空間中を前記遊技球Ｂが通過していくこと、そして、その溝部１６０から所定の高さを有した遊技盤の前面に誘導されていることは記載されており、また、出力側開口部７４から出力された遊技球Ｂは、図１７では遊技球Ｂの軌跡として返しゴム５４に到達する例も記載されている。そうすると、誘導通路部６０Ａを通過してきた遊技球Ｂの勢いを貫通通路部６２において勢いを減ずる構成とすることは考えられないから、先願の出願時の技術常識を参酌すれば、誘導通路部６０Ａから遊技盤３０の前面に遊技球Ｂを誘導する誘導路として溝部１６０の底から遊技領域３１に向かって傾斜する傾斜部とする以外は想定することができないため、該傾斜部を備えることは先願明細書等及び図面に記載されているに等しい事項である。
　したがって、先願発明は「前記遊技球誘導部の上方端部から下方側所定範囲の奥手側壁には、該奥手側壁の上方端部に向かって前記遊技領域側に傾斜する誘導傾斜部を形成した」ことに相当する構成を実質的に備えているといえる。
　
　以上を総合すると、両者は、
「前面側に遊技領域が形成された遊技盤と、該遊技盤の下方に配設されて遊技領域に向けて遊技球を発射する発射装置と、を備えた弾球遊技機において、
　前記遊技盤は、前記発射装置から発射された遊技球を誘導して、前記遊技領域の上方部所定位置に設けられた遊技球流出口まで誘導する遊技球誘導部を備え、
　前記遊技球誘導部の所定部位を前記遊技盤に埋設して、その埋設部位の前面側を遊技領域に設定し、
　前記遊技球誘導部の上方端部から下方側所定範囲の奥手側壁には、該奥手側壁の上方端部に向かって前記遊技領域側に傾斜する誘導傾斜部を形成したことを特徴とする弾球遊技機。」
である点で一致し、相違点はない。
　以上のように、本願発明は、先願発明と同一である。 
　
４．むすび
　したがって、本願発明は、その出願の日前の他の特許出願であって、その出願後に出願公開された特願２００４−３０５００１号（特開２００６−１１５９６１号）の願書に最初に添付した明細書、特許請求の範囲又は図面に記載された発明と同一であり、しかも、両発明の発明者が同一ではなく、また両出願の出願人がその出願の時において同一でもないので、特許法第２９条の２の規定により特許を受けることができない。 
　したがって、本願は、他の請求項について検討するまでもなく、拒絶されるべきものである。
　よって、結論のとおり審決する。